(57)【要約】      （修正有）【課題】マクロセル／フェムトセルが混在する通信システムにおける干渉調整のコンセプトを提供する。【解決手段】基地局トランシーバ１００は、第２の基地局トランシーバ２００の第２のカバレッジエリア２１２を取り囲む第１のカバレッジエリア１１２を有する無線インタフェース１１０を備える。基地局トランシーバは、第１の部分１４１を制御するコントローラ１３０であって、第２の基地局トランシーバ２００と基地局トランシーバとの間の相互干渉を軽減するようなものである第２の部分１４２を、プール１４０と識別に関する情報とアクセス可能性に関する情報とに基づいて決定するコントローラを備える。通信ユニット１２０は、第１の部分１４１および／または第２の部分１４２に関する情報を第２の基地局トランシーバ２００に伝達する。【選択図】図１ａ
2010124462.tif 000002
【特許請求の範囲】
【請求項１】
第２の基地局トランシーバ（２００）の第２のカバレッジエリア（２１２）を取り囲む第１のカバレッジエリア（１１２）を有する無線インタフェース（１１０）と、
前記無線インタフェース（１１０）と移動体通信システムの無線リソースのプール（１４０）からの無線リソースの第１の部分（１４１）とを使用して前記移動体通信システム内で通信する通信ユニット（１２０）であって、前記第２の基地局トランシーバ（２００）の識別に関する情報とアクセス可能性に関する情報とを受信する通信ユニット（１２０）と、
無線リソースの前記第１の部分（１４１）を制御し、かつ無線リソースの前記プール（１４０）と前記識別に関する情報と前記アクセス可能性に関する情報とに基づいて無線リソースの第２の部分（１４２）を決定するコントローラ（１３０）であって、無線リソースの前記第２の部分（１４２）は、無線リソースの前記第２の部分（１４２）を使用する前記第２の基地局トランシーバ（２００）と無線リソースの前記第１の部分（１４１）を使用する前記基地局トランシーバ（１００）との間の相互干渉を軽減するものである、コントローラ（１３０）と
を備え、
前記通信ユニット（１２０）は、無線リソースの前記第１の部分（１４１）および前記第２の部分（１４２）の一方あるいは両方に関する情報を前記第２の基地局トランシーバ（２００）に伝達するものである、
移動体通信システムにおいて動作する基地局トランシーバ。
【請求項２】
前記基地局トランシーバ（１００）は更に、前記第２の基地局トランシーバ（２００）と通信するためのネットワークインタフェースを備え、前記通信ユニット（１２０）は、無線リソースの前記第１の部分（１４１）および第２の部分（１４２）の一方あるいは両方に関する情報を前記識別に関する情報に基づいて前記ネットワークインタフェースを介して前記第２の基地局トランシーバ（２００）に伝達するものである、請求項１に記載の基地局トランシーバ。
【請求項３】
前記コントローラ（１３０）は、無線リソースの前記第１の部分（１４１）と前記第２の部分（１４２）とを反復または連続するやり方で制御する、請求項１または２に記載の基地局トランシーバ。
【請求項４】
前記通信ユニット（１２０）は、前記移動体通信システムにおいて移動端末から前記無線インタフェース（１１０）を介して前記情報を受信する、請求項１ないし３のいずれか一項に記載の基地局トランシーバ。
【請求項５】
前記通信ユニット（１２０）は、前記無線インタフェース（１１０）の前記カバレッジエリア（１１２）によって取り囲まれたカバレッジエリアを有する第３の基地局トランシーバの識別に関するもう１つの情報と、アクセス可能性に関するもう１つの情報とを受信するものであり、
前記コントローラ（１３０）は、無線リソースの前記プール（１４０）と前記識別に関する他の情報と前記アクセス可能性に関する情報とに基づいて、無線リソースの第３の部分を決定するものであり、
無線リソースの前記第３の部分は、無線リソースの前記第３の部分を使用する前記第３の基地局と無線リソースの前記第１の部分（１４１）を使用する前記基地局トランシーバ（１００）との間の相互干渉を軽減するものであり、前記通信ユニット（１２０）は更に、無線リソースの前記第３の部分に関する情報を前記第３の基地局トランシーバに伝達するものである、請求項１ないし４のいずれか一項に記載の基地局トランシーバ。
【請求項６】
前記通信ユニット（１２０）は、情報を移動端末に送信するために前記第１の部分を利用するものである、請求項１ないし５のいずれか一項に記載の基地局トランシーバ。
【請求項７】
第２の基地局トランシーバ（２００）の第２のカバレッジエリア（２１２）を取り囲む第１のカバレッジエリア（１１２）を有する無線インタフェース（１１０）を動作させるステップと、
移動体通信システムの無線リソースのプール（１４０）からの無線リソースの第１の部分（１４１）を使用して前記移動体通信システム内で通信するステップと、
前記第２の基地局トランシーバ（２００）の識別に関する情報とアクセス可能性に関する情報とを受信するステップと、
無線リソースの前記第１の部分（１４１）を制御するステップと、
無線リソースの第２の部分（１４２）を利用する前記第２の基地局トランシーバ（２００）と無線リソースの前記第１の部分を使用する前記基地局トランシーバ（１００）との間の相互干渉を軽減するものである無線リソースの第２の部分（１４２）を、無線リソース前記プール（１４０）と前記識別に関する情報と前記アクセス可能性に関する情報とに基づいて決定するステップと、
無線リソースの前記第２の部分（１４２）に関する情報を前記第２の基地局トランシーバ（２００）に伝達するステップと
を含む移動体通信システムにおいて通信する方法。
【請求項８】
コンピュータまたはプロセッサ上で動作するときに請求項７に記載の方法を実行するプログラムコードを有するコンピュータプログラム。
【請求項９】
移動体通信システムにおいて動作する基地局トランシーバ（２００）であって、
別の基地局トランシーバ（１００）の第２のカバレッジエリア（１１２）によって取り囲まれた第１のカバレッジエリア（２１２）を有する無線インタフェース（２１０）であって、前記移動体通信システムの無線リソースのプール（２４０）からの無線リソースの部分（２４２）を使用して前記移動体通信システムと通信する無線インタフェース（２１０）と、
ネットワークノードの識別に関する情報と無線リソースの利用に関する情報とを受信するネットワークインタフェース（２２０）と、
前記ネットワークノードの前記識別に関する情報と前記無線リソースの利用に関する情報と無線リソースの前記プール（２４０）とに基づいて、無線リソースの前記部分（２４２）を制御するコントローラ（２３０）と
を備えるものである基地局トランシーバ。
【請求項１０】
前記識別に関する情報が前記基地局トランシーバ（２００）に関連付けられ、更にこの情報の発信源が前記別の基地局トランシーバ（１００）であるという表示を備える場合に、前記コントローラ（２３０）は、前記無線リソース利用にしたがって無線リソースを使用する前記別の基地局トランシーバ（１００）と無線リソースの前記部分（２４２）を使用する前記基地局トランシーバ（２００）との間の相互干渉を軽減するように、前記部分（２４２）制御するものである、請求項９に記載の基地局トランシーバ。
【請求項１１】
前記識別に関する情報が前記別の基地局トランシーバ（１００）とは異なる基地局トランシーバに関連付けられていて、更にこの情報の発信源が前記別の基地局トランシーバ（１００）であるという表示を備える場合に、前記コントローラ（２３０）は、前記無線リソース利用にしたがって前記無線リソースを使用する前記別の基地局トランシーバ（１００）と無線リソースの前記部分（２４２）を利用する前記基地局トランシーバ（２００）との間の相互干渉を軽減するように、前記部分（２４２）を制御するものである、請求項９に記載の基地局トランシーバ。
【請求項１２】
前記コントローラ（２３０）は、前記基地局トランシーバ（２００）と前記別の基地局トランシーバ（１００）との間の減衰、空間距離または無線距離についての尺度を決定するものであり、前記コントローラ（２３０）は、減衰、空間距離または無線距離についての前記尺度に基づいて前記部分（２４２）を制御するものである、請求項９ないし１１のいずれか一項に記載の基地局トランシーバ。
【請求項１３】
前記コントローラ（２３０）は、前記尺度に基づいて前記基地局トランシーバ（２００）と前記別の基地局トランシーバ（１００）との間の近距離範囲および遠距離範囲の一方あるいは両方を決定するものであり、
前記コントローラ（２３０）は、前記遠距離範囲が決定されたときに、アップリンクおよびダウンリンクの一方あるいは両方において前記別の基地局トランシーバ（１００）によって利用された前記無線リソースが前記基地局トランシーバ（２００）によって回避されるように無線リソースの前記部分（２４２）を制御するものである、請求項１２に記載の基地局トランシーバ。
【請求項１４】
前記コントローラ（２３０）は、前記基地局トランシーバ（２００）が前記近距離範囲を決定したときに、アップリンクおよびダウンリンクの一方あるいは両方において前記別の基地局トランシーバ（１００）によって利用された前記無線リソースが再使用されるように無線リソースの前記部分（２４２）を制御するものである、請求項１３に記載の基地局トランシーバ。
【請求項１５】
移動体通信システムにおいて通信する方法であって、
別の基地局トランシーバ（１００）の第２のカバレッジエリア（１１２）によって取り囲まれた第１のカバレッジエリア（２１２）を有する無線インタフェースを動作させるステップと、
前記移動体通信システムの無線リソースのプール（２４０）からの前記無線リソースの部分（２４２）を使用して前記移動体通信システムと通信するステップと、
無線ノードの識別に関する情報と無線リソースの利用に関する情報とを受信するステップと、
前記ネットワークノードの前記識別に関する情報と前記無線リソースの利用に関する情報と無線リソースの前記プールとに基づいて無線リソースの前記部分（２４２）を制御するステップと
を含む方法。
【請求項１６】
コンピュータまたはプロセッサ上で動作するときに請求項１５に記載の方法を実行するプログラムコードを有するコンピュータプログラム。
【発明の詳細な説明】
【技術分野】
【０００１】
本発明は、移動体通信システムの分野に属し、特に階層的セル構造を利用するネットワークの分野に属するものである。
【背景技術】
【０００２】
現在の移動体通信システムは、種々の異なる無線リソースを利用しており、中でも例えば、キャリア（搬送波）またはサブキャリア（副搬送波）の観点からの周波数、タイムスロット、拡散コードまたはシーケンス、インタリービング・シーケンス、空間サブチャネルなどを利用している。ますます多様化する種々の無線リソースによって、ますます複雑な割当てアルゴリズムおよび方法が開発されている。更にネットワークトポロジ（ネットワーク接続）は、階層的構造に変化あるいは進歩しつつある。
【０００３】
現在のシステムでは、例えば家庭環境をカバーするために、いわゆるマイクロセル、ピコセル、及びフェムトセルのうちのいずれか又はこれらの組合せを配置することができる。これらマイクロセル、ピコセル、及びフェムトセルは、通常の無線セルの上に配置された小さな無線セルである。
【０００４】
従来のシステムにおいては、同じリソースを使用するフェムトセル・ユーザ装置（ＦＵＥ＝Ｆｅｍｔｏ−ｃｅｌｌ  Ｕｓｅｒ  Ｅｑｕｉｐｍｅｎｔ）と、マクロセル・ユーザ装置（ＭＵＥ＝Ｍａｃｒｏ−ｃｅｌｌ  Ｕｓｅｒ  Ｅｑｕｉｐｍｅｎｔ）との間の干渉に関連する問題が生じる。一方、最新のネットワークでは、家庭環境で使用され得る小さな基地局すなわちＦＵＥを配置することができる。これにより、家庭環境における通常の携帯電話または移動デバイスの使用が可能になる。しかしながら、これらのＦＵＥは、移動体通信システムの運用者によって効率的に調整され得ないので、干渉の調整および干渉の軽減に関する問題が生じる。ＦＵＥは、移動体通信システムのバックボーンに直接接続されておらず、これは、例えば通信ネットワークの制御プレーンへシームレスに接続することを妨げることになる。フェムトセルは、無線リソースをマクロセルと共有する小型の（ミニ）プラグアンドプレイ家庭基地局である。用語「マクロセル」は、セルラー移動体通信システムの通常のセルを表す。フェムトセルは、家庭環境における例えばＬＴＥ（ＬＴＥ＝Ｌｏｎｇ  Ｔｅｒｍ  Ｅｖｏｌｕｔｉｏｎ）およびＬＴＥ−Ａ（ＬＴＥ−Ａ＝ＬＴＥ−Ａｄｖａｎｃｅｄ）のカバレッジを向上させることを目的として作られている。フェムトセル基地局（ＦＢＳ＝Ｆｅｍｔｏ−ｃｅｌｌ  ｂａｓｅ−ｓｔａｔｉｏｎ）およびＦＵＥは、マクロセル基地局（ＭＢＳ＝Ｍａｃｒｏ−ｃｅｌｌ  Ｂａｓｅ−Ｓｔａｔｉｏｎ）とＭＵＥとに干渉を引き起こす。逆のことも起こり得る、すなわち、ＭＢＳとＭＵＥとは、ＭＵＥとＦＵＥとに干渉を引き起こし得る。このようなシナリオ、すなわち、フェムトセルを配置することに起因する干渉は、従来の移動体通信システムにおける主要な懸念事項である。
【発明の概要】
【発明が解決しようとする課題】
【０００５】
本発明の目的は、マクロ／フェムトセル混合通信システムにおける干渉調整のための改善されたコンセプトを提供することである。
【課題を解決するための手段】
【０００６】
この目的は、請求項１に記載の基地局トランシーバと、請求項７に記載の通信するための方法と、請求項１０に記載の基地局トランシーバと、請求項１５に記載の通信するための方法とによって達成される。
【０００７】
本発明は、マクロセルとフェムトセルとの間のリソース割当てが調整され得るという発見に基づいている。例えば、拡張することが可能な従来のメッセージを使用することによって、いくつかの実施形態において、直接シグナリング（direct signaling）を使用することができる。シグナリングは、例えばバックボーンネットワークを介して、または無線（空中）インタフェースを介して実行することができる。他の実施形態においては、フェムトセル基地局がマクロセル基地局間の干渉調整メッセージをオーバヒアリング（overhear）し得るまたは傍受（eavesdrop）し得るという発見に基づいて、間接シグナリング（indirect signaling）を利用することができる。
【０００８】
本発明の１つの発見は、マクロセルとフェムトセルとの間の干渉の調整または干渉の軽減がどのリソース上で使用するべきかという情報を、またはどのリソースが他のフェムトセルまたはマクロセルのいずれかによって占有されているかという情報をフェムトセルに提供することによって、マクロセルとフェムトセルとの間の干渉の調整または干渉の軽減を実行することができるということである。このような情報の提供は、専用および／または明示的であり得る、すなわち、このような情報を含むメッセージは、例えば明白なアドレス指定によってフェムトセルに直接向けられ得る。このような情報の提供は、暗示的であり得る、および／または第３のセルにブロードキャストまたはアドレス指定され得る。また、このフェムトセルは、マクロセルと他のいずれかのセルとの間の通信をオーバヒアリングするまたは傍受するまたはスニフィングする（sniff：ネットワーク上のデータを傍受する）ことができ、これらのセル間の干渉の調整を決定でき、それに基づいてそれ自身が使用するリソースを調整することができる。この情報が実際にアドレス指定され得る他のセルは、もう１つのマクロセルまたはもう１つのフェムトセルとなり得る。
【０００９】
それによって、フェムトセルは、なおマクロセルとリソースを共有することができ、なお、例えば家庭環境においてＬＴＥまたはＬＴＥ−Ａのカバレッジを改善するために使用することができる。本実施形態は、フェムトセルによる干渉を調整することができ、この実施形態は、より高いシステム容量およびより良好なサービス品質となるという利点がある。
【００１０】
幾つかの実施形態は、同じリソースを共有するＭＵＥとＦＵＥとの間の空間的な分離が干渉低減のために有益であるという発見に基づいている。したがって、空間的な分離は、干渉調整のために利用され得る。空間的な分離は、ＭＢＳからＦＢＳへのシグナリングメッセージの助けによってリソースを割り当てることによって達成することができ、ＭＢＳでは、例えば、特定のＦＢＳに近いＭＵＥによって使用されたリソースがこのようなリソースをＦＢＳに再使用させないように指示される。
【００１１】
幾つかの実施形態は、例えばＬＴＥ内のメッセージまたはメッセージングについて見ると、既存の規格に対して最小の、または限定された影響しか与えない。一般に、幾つかの実施形態は、フェムトセルを利用するセルラーシステムにおいて使用され得る。幾つかの実施形態は、アップリンクならびにダウンリンクでもリソース割当てを行い得る。言い換えれば、干渉の調整は、両伝送方向に関して、すなわちアップリンクとダウンリンクとに関して、逆方向リンクまたは順方向リンクそれぞれに関して、実行され得る。干渉の調整は、フェムトセルとマクロセルとの間およびＦＵＥとＭＵＥとの間で確立され得る。
【００１２】
本発明の実施形態は、下記の添付図面を使用して詳述される。
【図面の簡単な説明】
【００１３】
【図１ａ】基地局トランシーバの一実施形態を示す図である。
【図１ｂ】基地局トランシーバのもう１つの実施形態を示す図である。
【図１ｃ】マクロセル内のフェムトセル配置を示す図である。
【図２】多数の干渉シナリオを示す図である。
【図３】干渉調整シナリオを示す図である。
【図４】重大な干渉シナリオを示す図である。
【図５】ある干渉シナリオにおける有益なリソース割当てを示す図である。
【図６】シミュレーション結果を示す図である。
【図７】シミュレーション結果を示す図である。
【図８】セルラーネットワークにおける一実施形態内の信号伝達を示す図である。
【図９】一実施形態におけるもう１つの信号伝達方式を示す図である。
【図１０】一実施形態のもう１つの信号伝達方式を示す図である。
【図１１】なおもう１つの信号伝達シナリオを示す図である。
【図１２】シミュレーション結果を示す図である。
【発明を実施するための形態】
【００１４】
下記において、用語「基地局」および「基地局トランシーバ」、ならびに「移動体」、「移動端末」、「トランシーバ局」、「ユーザ装置」は、同義語として使用される。更に、用語「基地局トランシーバ１００」または「他の基地局トランシーバ１００」は、マクロセルまたはＭＢＳを表し、また、用語「基地局トランシーバ２００」または「第２の基地局トランシーバ２００」は、フェムトセルまたはＦＢＳを表す。
【００１５】
図１ａは、移動体通信システムにおいて動作する基地局トランシーバ１００の一実施形態を示している。この移動体通信システムは、例えばＧＳＭ（ＧＳＭ＝Ｇｌｏｂａｌ  Ｓｙｓｔｅｍ  ｆｏｒ  Ｍｏｂｉｌｅ  Ｃｏｍｍｕｎｉｃａｔｉｏｎｓ）、３ＧＰＰ（３ＧＰＰ＝Ｔｈｉｒｄ  Ｇｅｎｅｒａｔｉｏｎ  Ｐａｒｔｎｅｒｓｈｉｐ  Ｐｒｏｊｅｃｔ（第３世代提携プロジェクト））によって指定される第３世代システム、ＵＭＴＳ（ＵＭＴＳ＝Ｕｎｉｖｅｒｓａｌ  Ｍｏｂｉｌｅ  Ｃｏｍｍｕｎｉｃａｔｉｏｎ  Ｓｙｓｔｅｍｓ（ユニバーサル移動体通信システム））、ＣＤＭＡ（ＣＤＭＡ＝Ｃｏｄｅ  Ｄｉｖｉｓｉｏｎ  Ｍｕｌｔｉｐｌｅ  Ａｃｃｅｓｓ（符号分割多元接続））、ＷＣＤＭＡ（ＷＣＤＭＡ＝Ｗｉｄｅｂａｎｄ  ＣＤＭＡ（広帯域ＣＤＭＡ））、ＬＴＥ、ＬＴＥ−Ａなどといった任意の移動体通信システムを表し得る。
【００１６】
図１ａの基地局トランシーバ１００は、第２の基地局トランシーバ２００の第２のカバレッジエリア２１２を取り囲む第１のカバレッジエリア１１２を有するように構成された無線インタフェース１１０を備えている。言い換えれば、階層的セル構造を確立することが可能であり、この実施形態は、カバレッジエリア１１２および２１２に従って少なくとも１つのフェムトセルをオーバーレイするアンブレラ（傘型）セル、すなわちマクロセルを確立するように構成され得る。
【００１７】
更に、基地局トランシーバ１００のこの実施形態は、通信ユニット１２０を備えている。この通信ユニット１２０は、無線インタフェース１１０と、移動体通信システムの無線リソースのプール１４０からの無線リソースの第１の部分１４１とを使用して、移動体通信システム内で通信するように構成され、更に第２の基地局トランシーバ２００の識別に関する情報とアクセス可能性に関する情報とを受信するように構成され得る。
【００１８】
言い換えれば、この通信ユニット１２０は、移動体通信システム内の無線インタフェース１１０を使用して通信するようになっている。幾つかの実施形態では、無線リソースとしてあらゆる種類の無線リソースが利用され得る。すなわち、移動体通信システムにおいて無線インタフェース１１０を介して通信するための基地局トランシーバ１００によって、例えば伝送電力、キャリア（搬送波）、サブキャリア（副搬送波）、周波数、コード、タイムスロット、空間サブチャネル、送信または受信アンテナ、拡散またはチャネル化コード、スクランブリングコード、インタリービング・シーケンス、などのグループのうちの１つが利用され得る。
【００１９】
一般に、このようなすべての無線リソースは、移動体通信システムによって使用されるすべての無線リソースが集められ得る無線リソースのプール１４０に集約されるようになっている。移動体通信システムにおける重大な干渉状態を防止するために、無線リソースのプール１４０からの無線リソースは調整され得る。
【００２０】
言い換えれば、通信ユニット１２０は、もう１つのネットワークノード、例えばＦＢＳおよびＦＵＥの一方あるいは両方を第２の基地局トランシーバ２００として識別し得る識別に関する情報を受信するように構成されている。ある幾つかの実施形態では、この情報は、識別されたデバイスから直接受信され得るが、例えば移動デバイスといった他のデバイスは、移動体通信システム内で測定（measurement）を実行するように構成されることが可能であり、この測定の次に、これらの測定値は、例えば、本願の基地局トランシーバ１００に報告されるようになっている。
【００２１】
図１ａによれば、基地局トランシーバ１００は更に、コントローラ１３０を備えている。コントローラ１３０は、無線リソースの第１の部分１４１の制御に対応し、無線リソースのプール１４０と識別に関する情報とアクセス可能性に関する情報とに基づいて、無線リソースの第２の部分を決定するように構成されている。無線リソースのこの第２の部分１４２は、無線リソースの第２の部分１４２を使用する第２の基地局トランシーバ２００と、無線リソースの第１の部分１４１を使用する基地局トランシーバ１００との間の相互干渉が軽減されるようなものである。更に、通信ユニット１２０は、無線リソースの第１の部分１４１および第２の部分１４２のいずれか又は両方に関する情報を第２の基地局トランシーバ２００に伝達するようになっている。
【００２２】
幾つかの実施形態では、多数のシナリオが考えられ得る。ある実施形態においては、移動局が接続確立およびハンドオーバーすることができるオープンアクセス・フェムトセル（open-access femto-cell）または第２の基地局トランシーバ２００が存在し得る。他のフェムトセルまたは第２の基地局トランシーバ２００は、例えば家庭環境におけるクローズドアクセス・フェムトセルであり得る。すなわち、選択された移動局だけが、クローズドアクセス・フェムトセルと接続を確立することができる。ある幾つかの実施形態では、フェムトセルまたは第２の基地局トランシーバ２００の両種類は、基地局トランシーバ１００、すなわちＭＢＳまたはマクロセルによって干渉調整またはリソース調整され得る。ある幾つかの実施形態においては、クローズドアクセス・フェムトセルとの干渉調整は、ＦＢＳの近くにあるＭＵＥが、このＦＢＳにハンドオーバーすることができないので、より重要であり得る。それによって、ＭＵＥがＦＵＥと同じ無線リソースを使用するとき、干渉はより厳しくなる。もしこのようなＦＢＳがオープンアクセスＦＢＳであったとすれば、上記ＭＵＥは、ＦＢＳにハンドオーバーすることができ、直ぐ近くにあるＭＵＥによってＦＢＳに引き起こされる干渉は回避され得る。したがって、この実施形態は、クローズドアクセスＦＢＳについて重点が置かれ得るが、これに限定されない。
【００２３】
ある幾つかの実施形態においては、アクセス可能性に関する情報は、識別に関する情報と共に暗示的に供給され得る。言い換えれば、いったんフェムトセルまたは第２の基地局トランシーバ２００の識別に関する情報が、基地局トランシーバ１００において利用可能になると、アクセス可能性に関する情報は、フェムトセルまたは第２の基地局トランシーバ２００のリストから導き出され得る。ある幾つかの実施形態においては、第２の基地局トランシーバ２００は、一意であり得るが、ＦＢＳまたは第２の基地局トランシーバ２００をオープンアクセスまたはクローズドアクセスＦＢＳとして識別するある一定の形式の識別情報を持ち得る。他の実施形態においては、ＭＢＳは、例えば、そのＭＢＳに対して設定されたＭＵＥから測定報告を受信できる。また、ＭＢＳは、ＦＢＳから基準信号を受信することができる。このＭＵＥは、ＦＢＳにアクセスしようと試み得る、あるいはこのような試みが失敗したかどうかを確定して報告し得る。すなわち、ある幾つかの実施形態においては、アクセス可能性に関する情報は、ＭＵＥの失敗したアクセスの試みに関する報告であり得る。
【００２４】
言い換えれば、コントローラ１３０は、無線リソースの第１の部分１４１と第２の部分１４２とを決定することによって干渉を調整するようになっている。第１の部分１４１と第２の部分１４２は、無線リソースの第１の部分１４１を使用する基地局トランシーバ１００が無線リソースの第２の部分１４２を使用する第２の基地局トランシーバ２００と同時に通信するときに干渉が軽減されるようなものであり得る。このような通信は、アップリンクおよびダウンリンクの一方または双方において行われ得る。無線リソースの第１の部分１４１と無線リソースの第２の部分１４２とは、これらが直交している、すなわち干渉も衝突も発生し得ないようなものであり得る。しかしながら、他の実施形態では、これら無線リソースの第１の部分１４１と第２の部分１４２は、全システムのシステム容量がなお最適化されるように制御されるやり方を行うときに、ある程度オーバーラップまたは衝突する可能性がある。言い換えれば、干渉を軽減することは、無線リソースの同時使用の最小化に、あるいはシステム容量が最適化されるやり方で無線リソースの衝突を調整することに繋がり得る。
【００２５】
言い換えれば、ある幾つかの実施形態において、基地局トランシーバ１００は、リソースのプール１４０を全体的に使用するように構成され得る、すなわちリソースの第１の部分は、無線リソースのプール１４０の全体に拡張し得る。例えば、ＯＦＤＭシステム（ＯＦＤＭ＝Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重化））において、基地局トランシーバ１００は、第２の基地局トランシーバ２００の識別に関する情報と第２の基地局トランシーバ２００のアクセス可能性に関する情報とに基づいて、第２の基地局トランシーバ２００が検出されたときに、無線リソースのプール１４０と第１の部分１４１とによって構成されたシステムのすべてのサブキャリアを動作させることができる。
【００２６】
基地局トランシーバ１００は、移動体通信システムにおいて通信するために、すべてのサブキャリアを利用し得る。しかし、この場合、その伝送電力の全部を使用できない可能性があり、また、最大データ転送速度および各サブキャリアについて最も複雑な変調アルファベット（modulation alphabet）の一方あるいは両方を使用できない可能性がある。コントローラ１３０は、サブキャリアの数という点から無線リソースの第２の部分１４２を決定でき、サブキャリアの数は、全てのサブキャリアのサブセットとすることができる。また、コントローラ１３０は、第２の部分１４２に関する情報、すなわちサブキャリアのサブセットに関する情報を第２の基地局トランシーバ２００に伝達し得る。また、コントローラ１３０は、このサブセットに含まれないサブキャリアを使用するように、すなわち第２の基地局トランシーバ２００に伝達されたサブキャリア以外のサブキャリアを使用するように第１の部分１４１を制御することができる。
【００２７】
しかしながら、同じデータ転送速度を維持するために、基地局トランシーバ１００は、他のサブキャリアに関して、すなわち無線リソースの第１の部分１４１について、より高いデータ転送速度、すなわち、より高い伝送電力とより複雑な変調アルファベットとを利用し得る。上記のシナリオは、実施形態の一例となるはずである。しかし、他の実施形態では、第１の部分１４１と第２の部分１４２とはオーバーラップし得る、すなわちサブキャリアは、基地局トランシーバ１００と第２の基地局トランシーバ２００とによって使用され得るが、衝突は、コントローラ１３０によって調整される。他の実施形態においては、上記のように、他の無線リソース、例えばタイムスロット、コード、周波数などが使用され得る。
【００２８】
図１ａによれば、通信ユニット１２０は、第１の部分１４１および第２の部分１４２の一方あるいは両方に関する情報を、第２の基地局トランシーバ２００に伝達するようになっている。幾つかの実施形態においては、基地局トランシーバ１００は、第２の基地局トランシーバ２００と通信するためのネットワークインタフェースを備えることができ、または、通信ユニット１２０は、無線リソースの第１の部分１４１および第２の部分１４２の一方あるいは両方に関する情報を、識別に関する情報に基づいてネットワークインタフェースを介して第２の基地局トランシーバ２００に伝達するように構成され得る。
【００２９】
このような通信は、高頻度の時間ベースで実行され得る。すなわち、コントローラ１３０は、無線リソースの第１の部分１４１と第２の部分１４２とをネットワークにおける干渉条件に適応させるために、無線リソースの第１の部分１４１と第２の部分１４２とを反復または連続するやり方で制御するように構成され得る。言い換えれば、干渉の調整または干渉の制御は、例えばネットワークにおける瞬間的干渉または負荷条件に基づいて順応するように実行され得る。
【００３０】
更に、基地局トランシーバ１００の点から見たＭＢＳは、このＭＢＳによってサービスを受けるマクロセルにおけるリソース利用を決定するように構成され得る。例えば、第２の基地局トランシーバ２００について、上記のＭＢＳのカバレッジエリア１１２内にＦＢＳが存在する可能性がある。一実施形態では、基準信号測定値を取得するように構成された移動端末は、第２の基地局トランシーバ２００から基準信号を受信し得る。このＵＥは、第２の基地局トランシーバ２００からの基準信号についての測定値を基地局トランシーバ１００に報告し得る。すなわち、ＭＢＳは、ＭＵＥまたはＦＵＥの測定値に基づいてＦＢＳを決定し得る。ＭＢＳは、ネットワークインタフェースを介して実行され得る明示的なシグナリングによってこのＭＢＳのカバレッジエリア内のＦＢＳのリソースを調整し得る。このようなネットワークインタフェースは、ある無線インタフェース、例えば同様の無線インタフェースであり得る。しかしながら、他の実施形態では、これは有線インタフェースであり得る、すなわち、シグナリングは、移動体通信システムのバックボーンまたはバックホール（backhaul）または有線ネットワーク部を経由して、ＦＢＳが所属しているもう１つの通信システムに対して実行され得る。このようなシグナリングは、ＩＰ（ＩＰ＝Ｉｎｔｅｒｎｅｔ  Ｐｒｏｔｏｃｏｌ）および／またはＴＣＰ（ＴＣＰ＝Ｔｒａｎｓｍｉｓｓｉｏｎ  Ｃｏｎｔｒｏｌ  Ｐｒｏｔｏｃｏｌ）データパケットに関して実行され得る。
【００３１】
ある幾つかの実施形態において、基地局トランシーバ１００は、無線リソースの第２の部分１４２に関する情報の上記通信を実行するための第２の基地局トランシーバ２００のアドレスを決定し得る。上記アドレスは、識別に関する情報から導き出され得る。第２の基地局トランシーバ２００は、例えば、いったん上記アドレスがプラグインされると、中央ネットワークノード、例えばインターネットにおける例えばサーバまたはプロバイダに登録することができる。基地局トランシーバ１００は、識別に関する情報に基づいて中央ノードから例えばＩＰアドレスを決定することができる。他の実施形態において、第２の基地局トランシーバ２００は、例えばシステム情報を備える基準信号または放送信号に関して、基地局トランシーバ１００からのダウンリンク信号を傍受または受信するように構成され得る。第２の基地局トランシーバ２００は、基地局トランシーバ１００が属する移動体通信システムを検出し、例えばインターネットを介して自分自身をこの移動体通信システムに登録することができる。基地局トランシーバ１００は、第２の基地局トランシーバ２００がそれ自身を公知にしたものへ、移動体通信システムのバックボーンを介して第２の部分１４２に関する情報を伝達し得る。
【００３２】
図１ｂは、移動体通信システムにおいて動作する基地局トランシーバ２００のもう１つの実施形態を示している。図１ｂに描かれた基地局トランシーバ２００は、ＦＢＳに対応し得る。図１ｂに描かれた基地局トランシーバ２００は、他の基地局トランシーバ１００の第２のカバレッジエリア１１２によって取り囲まれた第１のカバレッジエリア２１２を有するように構成された無線インタフェース２１０を備えている。上記の説明によれば、基地局トランシーバ２００は、図１ａを用いて説明された実施形態における第２の基地局トランシーバ２００に対応し得る。
【００３３】
言い換えれば、図１ａの基地局トランシーバ１００は、図１ｂの他の基地局トランシーバ１００に対応し得る。図１ｂに描かれた基地局トランシーバ２００は、無線インタフェース２１０を備えている。この無線インタフェース２１０は、移動体通信システムの無線リソースのプール２４０からの無線リソースの部分２４２を使用して、この移動体通信システム内で通信するように構成され得る。このプール２４０は、プール１４０に対応し得る、すなわち、ＭＢＳおよびＦＢＳは、同じ無線リソース上で動作し得る。他の実施形態において、ＦＢＳおよびＭＢＳに関するプール２４０は、ＭＢＳおよびＭＵＥに関するプール１４０より少ない無線リソースを備え得る。言い換えれば、フェムトリソースは予め制限される可能性がある。
【００３４】
更に、基地局トランシーバ２００は、ネットワークノードの識別に関する情報と無線リソースの利用に関する情報とを受信するように構成されたネットワークインタフェース２２０を備えている。このネットワークインタフェース２２０は、例えば他のトランシーバ１００からのダウンリンク信号に関して無線インタフェース２１０を介して、および／またはこのトランシーバが接続されたバックボーンあるいはバックホールあるいは有線ネットワークを介して、これらの情報を受信するように構成され得る。更に、基地局トランシーバ２００は、ネットワークノードの識別に関する情報と無線リソースの利用に関する情報と無線リソースのプール２４０とに基づいて、無線リソースの部分２４２を制御するように構成されたコントローラ２３０を備えている。
【００３５】
上記の説明と実施形態によれば、基地局トランシーバ２００は、例えば、ＭＢＳからのこのような情報を受信することができ、コントローラ２３０は、このような情報に基づいて部分２４２を制御することができる。
【００３６】
基地局トランシーバ２００の幾つかの実施形態において、識別情報が基地局トランシーバ２００自身に関連付けられていて、更にこの情報が他の基地局トランシーバ１００から発生したという指示を備えている場合に、コントローラ２３０は、部分２４２を制御して、無線リソースの利用にしたがって無線リソースを使用する他の基地局トランシーバ１００と無線リソースの部分２４２を利用する基地局トランシーバ２００との間の相互干渉が軽減されるようにし得る。言い換えれば、他の基地局トランシーバ１００は、リソースの利用について基地局トランシーバ２００に知らせる基地局トランシーバ２００へのメッセージを作成し得る。このメッセージの作成は、他の基地局トランシーバ１００によって使用されたリソースについて基地局トランシーバ２００に知らせることによって実行されて、基地局トランシーバ２００が他のリソースを使用するように調整され得る。
【００３７】
別の実施形態では、他の基地局トランシーバ１００すなわちＭＢＳは、基地局トランシーバ２００すなわちＦＢＳに対して、このようなメッセージの中で指示されたリソースを使用するように明示的に命令することができる。このようなメッセージは、有線インタフェースまたはネットワークインタフェースを介して受信され得る。他の実施形態では、これは、無線インタフェースを介して受信され得る。
【００３８】
基地局トランシーバ２００は、例えば多数のＭＢＳおよび／またはＦＢＳといった多数の他のネットワークノードの無線リソースの利用に関する情報を備える多数のメッセージを受信し得る。基地局トランシーバ２００は、ＭＢＳによって供給される情報をＦＢＳによって供給される情報より優先させるように構成され得る。言い換えれば、ＦＢＳ間の干渉調整よりもマクロセル・フェムトセル間の干渉調整が優位に扱われ得る。他のシナリオでは、例えば、そのカバレッジエリア内にそれぞれの基地局トランシーバ２００またはＦＢＳが位置しているＭＢＳからの１つの情報と他のＭＢＳからの１つの情報といった多数のＭＢＳからの情報が受信されて考慮され得る。言い換えれば、多数のＭＢＳからの情報は、例えば、ＦＢＳが位置するＭＢＳからの情報および１つ以上の近隣のＭＢＳからの情報と考えられ得る。それと共に、特に干渉の調整が重要であるセルエッジ領域において多数の近隣のＭＢＳからの情報が、ＦＢＳおよび基地局トランシーバ２００のそれぞれによって考慮され得るという利点がある。
【００３９】
下記において、この実施形態が、特に標準化機構によって優先されたシナリオであるので、アップリンクのフェムト・マクロ干渉に重点が置かれた、より詳細な実施形態が説明される（３ＧＰＰ  ＴＲ  ２５．８２０、「３Ｇ  Ｈｏｍｅ  ＮｏｄｅＢ  Ｓｔｕｄｙ  Ｉｔｅｍ  Ｔｅｃｈｎｉｃａｌ  Ｒｅｐｏｒｔ（第３世代ホームノードＢ研究項目技術報告）」２００８年５月を参照のこと）。下記の実施形態は、ＬＴＥシグナリングの例に重点が置かれているが、従来の移動体通信システムにも等しく適用することが可能である。
【００４０】
下記の実施形態は、フェムトセルとマクロセルとの間のアップリンク干渉を調整することができる。この実施形態は、既存のＬＴＥシグナリングを利用し、また既存の３ＧＰＰ規格に大きな変更がないという更なる利点がある。
【００４１】
既に上記に述べられたように、フェムトセルは、リソースをマクロセルと共有する小型のプラグアンドプレイ家庭基地局である。これらは、例えば家庭環境におけるＬＴＥおよびＬＴＥ−Ａのカバレッジを向上させることを目的として作られている。図１ｃは、１つのマクロセルと多数のフェムトセルとを有するネットワークシナリオを示している。図１ｃは、例えば基地局トランシーバ１００の一実施形態において動作し得るＭＢＳ１８０を示している。更に、図１ｃは、ＦＢＳあるいはフェムトセル１９０を示している。マクロセル１８０は、そのセルに属するＭＵＥ１８２を有する。すなわち、通信信号は、両側矢印１８４によって示されるように、基地局トランシーバ１８０とＵＥ１８２との間で交換される。
【００４２】
例えば、基地局トランシーバ２００の一実施形態に対応し得るＦＢＳ１９０には、フェムトＵＥ１９２が属している。ＦＢＳ１９０は、両側矢印１９４によって示されるように、フェムトＵＥ１９２と通信する。更に、図１ｃのシナリオは、例示目的のために、多数の他のマクロＵＥと多数の他のフェムトセルとを示している。もしマクロＵＥ１８２とフェムトＵＥ１９２がそれぞれの基地局と通信するために同じ無線リソースを使用すれば、干渉が引き起こされる。これは、図１ｃにおいて干渉矢印１８６および１９６によって示されている。言い換えれば、もしマクロＵＥ１８２とフェムトＵＥ１９２が、それぞれの基地局に信号を送信するために同じ無線リソースを使用すれば、アップリンク干渉が引き起こされる。もしＭＢＳ１８０とＦＢＳ１９０が、それぞれのマクロＵＥ１８２とフェムトＵＥ１９２に信号を送信するために同じ無線リソースを使用すれば、ダウンリンク干渉が引き起こされる。したがって、干渉矢印１８６および１９６は、両側を向いている。図１ｃは、１つのマクロセル内に配置されたフェムトセルにおける有用な信号および干渉状態を示している。
【００４３】
３ＧＰＰ  ＴＲ  ２５．８２０、「３Ｇ  Ｈｏｍｅ  ＮｏｄｅＢ  Ｓｔｕｄｙ  Ｉｔｅｍ  Ｔｅｃｈｎｉｃａｌ  Ｒｅｐｏｒｔ（第３世代ホームノードＢ研究項目技術報告）」（２００８年５月）において、３ＧＰＰは、フェムトセルの配置に関する干渉シナリオを優先させている。これらのシナリオは、図２にリスト化されて図示されている。図２は、上部に表、下部にネットワーク図を示している。図２の下部のネットワーク図は、マクロセル２５０と、例えばアパートメントＡに対応するフェムトセル２６０と、もう１つのアパートメントＢに対応するもう１つのフェムトセル２７０と、もう１つのマクロセル２８０とを示している。マクロセル２５０内には、対応するＭＢＳ２５９と通信しているマクロＵＥ２５１が存在している。マクロセル２５０の隣にフェムトセル２６０が存在し、フェムトセル２６０には、対応するＦＢＳ２６９と通信するフェムトＵＥ２６１が存在する。フェムトＵＥ２６１が信号をＦＳ２６９に送信するとき、基地局トランシーバ２５９ではマクロＵＥ２５１に対する干渉が起こる（矢印２９１によって示され、図２の上部の表の第１行が対応する）。このシナリオでは、ホームノードＢに所属するＵＥあるいはＦＢＳ２６９は攻撃者として、アップリンクのマクロノードＢ、すなわちＭＢＳ２５９に対応する犠牲者に干渉を引き起こすことになる。
【００４４】
フェムトセル２７０には、ＦＢＳ２７９と通信するフェムトＵＥ２７１が存在する。次に、マクロセル２８０が存在しており、このマクロセル２８０では、マクロＵＥ２８１がＭＢＳ２８９と通信している。ＦＢＳ２７９はフェムトＵＥ２７１と通信するので、これは、矢印２９２によって示されたマクロＵＥ２８１に関するダウンリンクにおける干渉を引き起こすことになる（図２の上部の表の第２行が対応する）。このシナリオにおいては、ホームノードＢ、すなわちフェムト基地局２７９は、この場合における犠牲者であるＭＢＳ２８９に対して干渉を引き起こす攻撃者である。
【００４５】
マクロＵＥ２８１は、ＭＢＳ２８９に送信するときに、ＦＢＳ２７９において干渉を引き起こす。図２の表の第３行は、マクロノードＢに所属するマクロＵＥ２８１または基地局トランシーバ２８９が、ホームノードＢまたはＦＢＳ２７９に干渉を引き起こす攻撃者であるというシナリオに対応している。矢印２９３は、マクロノードＢ２８９に所属するマクロＵＥ２８１がホームノードＢ２７９において引き起こす干渉を示している。矢印２９４は、ダウンリンクにおいてＭＢＳ２５９がフェムトＵＥ２６１に対して引き起こす干渉を示している。図２の上部の表の第５行によれば、矢印２９５は、アップリンクにおいてフェムトＵＥ２７１がＦＢＳ２６９に対して引き起こす干渉を示している。この表の最後の行にある矢印２９６は、ダウンリンクにおいてホームノードＢまたはＦＢＳ２７９がもう１つのＦＢＳ２６９に対して引き起こす干渉を示している。
【００４６】
図２に示された表によれば、３ＧＰＰは、この表内の対応する行において矢印２９１および２９３によって与えられる２つの干渉シナリオを優先させている。干渉シナリオの図解はまた、技術報告３ＧＰＰ  ＴＲ  ２５．８２０（「３Ｇ  Ｈｏｍｅ  ＮｏｄｅＢ  Ｓｔｕｄｙ  Ｉｔｅｍ  Ｔｅｃｈｎｉｃａｌ  Ｒｅｐｏｒｔ（第３世代ホームノードＢ研究項目技術報告）」２００８年５月を参照のこと）における「３Ｇ  Ｈｏｍｅ  ＮｏｄｅＢ  Ｓｔｕｄｙ  Ｉｔｅｍ（第３世代ホームノードＢ研究項目）」に見出すことができる。
【００４７】
下記では、主として図２に描かれた表の優先番号２９１および２９３を有する、すなわち行１および３の干渉シナリオをアドレス指定する実施形態が説明される。言い換えれば、下記ではアップリンクのマクロ・フェムト相互干渉を軽減するための方法を実行する実施形態が論じられる。この実施形態は、これらが既存のＬＴＥ規格に対して最小の影響（インパクト）しか与えない、あるいは全く影響を与えないという利点がある。
【００４８】
最初に、アップリンク伝送のために何が良いか、あるいは有利であるか、また何が悪いか、あるいは不利であるかが明らかにされる。まず、フェムトセル内のフェムトＵＥがマクロＵＥから遠く離れていて両者が同じリソースを使用するというシナリオについて考える。
【００４９】
図３は、マクロＵＥ３１２の信号を受信するＭＢＳ３１０を示している。マクロＵＥ３１２によってＭＢＳ３１０に送信された信号は、矢印３１４によって示されている。更に図３は、フェムトＵＥ３２２が所属するフェムトセルを作り出すＦＢＳ３２０を示している。更に、図３は、フェムトＵＥ３３２が所属するもう１つのＦＢＳ３３０を示している。図３に描かれたシナリオでは、フェムトＵＥ３３２が矢印３２４によって示された信号をＦＢＳ３３０に送信することが想定されている。
【００５０】
図３に描かれたシナリオでは、アップリンク伝送すなわちＵＥから基地局への伝送が考えられている。この特定のシナリオにおいて、マクロＵＥ３１２は、信号をＦＢＳ３３０に送信するために、フェムトＵＥ３３２が使用しているものと同じ無線リソースを使用してＭＢＳ３１０に送信する。それによって、マクロＵＥ３１２は、矢印３１６によって示されるように、ＦＢＳ３３０において干渉を引き起こし、フェムトＵＥ３３２は、矢印３３６によって示されるように、ＭＢＳ３１０において干渉を引き起こすことになる。図３を見ると、このシナリオにおいて、フェムトセルで再使用されるリソースが、同じリソースを使用するＭＵＥから空間的に離れるようなやり方でアップリンク無線リソースが選択されることが分かる。ここで、空間的な分離は、無線距離がある一定の減衰を示すような無線距離と理解される。一般に、減衰は、送信機の距離が大きくなるにつれて、すなわち、いわゆる自由空間伝播損失（free space propagation loss）によって大きくなる。
【００５１】
したがって、空間的な分離は、より大きな減衰を引き起こし、それとともに、空間的な分離は、大きな無線距離に対応する。異なるシナリオでは、間に屋内減衰成分、屋外減衰成分およびあらゆる種類の反射、屈折などが存在し得る。もし２つのネットワークデバイスが空間的に離れていれば、これは、自由空間において空間距離に対応するこれら２つの間の大きな減衰に対応する。これは、無線環境において、例えば無線経路上の壁その他の障害物によって引き起こされ得る２つの無線デバイス間の大きな減衰に対応し得る。
【００５２】
大きな空間的な分離を有する実施形態においては、ＦＢＳ３３０が、マクロＵＥ３１２から小さな干渉しか受けないという利点がある。更に、フェムトＵＥ３３２は、ほんの小さな伝送電力しか必要とせず、これにより、ＦＢＳ３３０において、バッテリ寿命を延ばしかつ環境にやさしいＩＣＴ（ＩＣＴ＝Ｉｎｆｏｒｍａｔｉｏｎ−Ｃｏｍｍｕｎｉｃａｔｉｏｎ  Ｔｅｃｈｎｏｌｏｇｙ（情報通信技術））である高い信号対干渉比（ＳＩＲ＝Ｓｉｇｎａｌ−ｔｏ−Ｉｎｔｅｒｆｅｒｅｎｃｅ−Ｒａｔｉｏ）を達成する。更に、この小さな伝送電力により、フェムトＵＥは、ＭＢＳ３１０において僅かな干渉を引き起こすことになる。
【００５３】
図４には、考慮すべき第２のシナリオが記載されている。図４は、マクロＵＥ４１２と通信するＭＢＳ４１０を示している。ここでも、アップリンク通信について考えられており、すなわち、マクロＵＥ４１２は、矢印４１４によって示される信号をＭＢＳ４１０に送信する。更に、このシナリオでは、フェムトＵＥ４２２と通信するＦＢＳ４２０が存在する。フェムトＵＥ４２２は、矢印４２４によって示される信号をＦＢＳ４２０に送信する。図３に描かれたシナリオとは反対に、フェムトＵＥ４２２と同じアップリンクリソースを使用するマクロＵＥ４１２は空間的に離れていない。すなわち、マクロＵＥ４１２とＦＢＳ４２０との間の減衰はかなり小さい。したがって、マクロＵＥ４１２は、矢印４１６によって示されるように、ＦＢＳ４２０において大きな干渉を引き起こすことになる。フェムトＵＥ４２２は、矢印４２６によって示されるように、ＭＢＳ４１０において干渉を引き起こすことになる。このシナリオでは、フェムトセルＵＥ４２２はマクロセルＵＥ４１２に近接しており、したがって、これらの間の減衰は小さい。このシナリオの欠点は、ＦＢＳ４２０においてマクロＵＥ４１２からの大きな干渉が引き起こされることである。したがって、フェムトＵＥ４２２は、ＦＢＳ４２０において妥当なＳＩＲを達成するために大きな伝送電力を必要となり、これは、バッテリ寿命を短くし、また環境にやさしいＩＣＴとはいえない。更に、フェムトＵＥ４２２では伝送電力が大きいため、フェムトＵＥ４２２が、ＭＢＳ４１０において大きな干渉を引き起こすことになる。そのＳＩＲを維持するために、マクロＵＥ４１２は、その伝送電力などを更に増加させなければならない可能性がある。図３および図４で説明されてきた利点と欠点の考察から、ＦＵＥが、これらのＦＢＳの近くにないＭＵＥのリソースを再使用することが有益であることが分かる。このことは再び図５に示される。
【００５４】
図５は、第１のマクロＵＥ５１２および第２のマクロＵＥ５１３と通信するＭＢＳ５１０についてのシナリオを示している。図をより良く理解するために、図５には通信矢印は描かれていない。更に、ＭＢＳ５１０のマクロセル内には、フェムトＵＥ５２２と通信する第１のＦＢＳ５２０および第２のフェムトＵＥ５３２と通信する第２のＦＢＳ５３０が存在する。マクロＵＥ５１２は、第２のフェムトＵＥ５３２から空間的に離れており、それに対応して、矢印５１４によって示されるように同じリソースを使用する。同様に、マクロＵＥ５１３は、フェムトＵＥ５２２から空間的に離れており、それに対応して、矢印５１５によって示されるように同じリソースを使用する。要約すれば、図５は、同じリソースが空間的に離れたエンティティに割り当てられるといった有益なリソース割当ての実施形態を示している。この状況において、空間的に離れていることは、このようなエンティティ間の減衰が大きい、言い換えれば、例えばアップリンクにおける干渉が引き起こされるところであるマクロＵＥ５１２とＦＢＳ５３０との間の減衰が大きいことを意味することに留意すべきである。同様に、マクロＵＥ５１３とＦＢＳ５２０との間の減衰も大きい。
【００５５】
このような空間的な分離あるいは無線距離の利点は、数値的結果によって説明される。
【００５６】
図６は、上記の空間的な分離の利点を示すシミュレーション結果である。図６は、ＦＢＳにおけるＳＩＲ対フェムトＵＥからマクロＵＥへの相対的伝送電力を示している。図６の結果は、図６の説明文（キャプション）で与えられた多数のシナリオに関して、すなわち異なる空間的な分離に関する屋内シナリオおよび屋外シナリオに関して決定されている。種々のパラメータは、上記に説明されたように、より大きな減衰に移行する空間的な分離である。更に、屋内減衰が屋外減衰より大きい屋内および屋外のシナリオが考慮されている。最上部では内壁および外壁（建物）について考慮されており、これはまた、それぞれの減衰をモデル化している。言い換えれば、物理的な空間の分離の代わりに２つのネットワークエンティティ間の壁が減衰を増加させる可能性があり、この壁は、空間的な分離によって同様に達成され得るある一定の無線距離に対応し得る。
【００５７】
図６に示されるように、ＦＢＳにおけるＳＩＲは、主として、第１にフェムトＵＥからマクロＵＥへの相対的伝送電力、第２にマクロＵＥとＦＢＳとの間の距離、そして第３にこれが屋内または屋外の状況であるかどうか、という３つの要因に依存している。必要とされるＳＩＲを達成するために、２つの戦略のうちの１つが追求され得る。第１にフェムトＵＥは大きな電力で発信でき、第２に同じリソースを使用するマクロＵＥとフェムトＵＥとの空間的な分離が利用され得る。
【００５８】
フェムトＵＥが大きな伝送電力で発信する第１のソリューション（解決策）は、２つの欠点を有する。第１に、全体的な伝送電力の増加が観測される可能性があり、これは、バッテリ寿命を短くし、さらに、環境にやさしくないＩＴＣにつながることになる。更に、ＭＢＳのＳＩＲが低下する。同じリソースを使用するマクロＵＥとＦＵＥの空間的な分離が実行される第２の実施形態では、伝送電力が節約される、すなわち、環境にやさしいＩＴＣではあるが、互いに近接したＦＵＥとＭＵＥとが異なるリソースを使用するようにフェムトＵＥとマクロＵＥとの間の調整が必要となる。したがって、この調整を実行し、また例えばシステムに対して、仮に影響を与えたとしても最小の影響を有する既存のＬＴＥ信号を利用することができる。
【００５９】
図７は、ＭＢＳにおけるＳＩＲ対フェムトＵＥとマクロＵＥとの間の相対的基地局距離に関するシミュレーション結果である。シミュレーションは、異なるパラメータに関して実行されており、図７では、フェムトＵＥの伝送電力はキャプションにしたがって変えられている。図７には、セル内で任意の精度の屋内ＭＵＥがあることを前提とする１６個のアクティブなＦＵＥに起因して生じるＭＢＳにおけるＳＩＲが示されている。更に、ＭＢＳにおける受信電力は、全電力で送信しているセルエッジＭＵＥの受信電力に等しいことが仮定されている。もしＦＵＥが−３０ｄＢｍで送信すれば、ＭＢＳにおけるＳＩＲは常に十分であることに注目されるべきである。これは、図７において、常に最小の必要ＳＩＲを示す点線より上にある直線によって示されている。しかしながら、もしＭＵＥとＦＵＥとが十分に離れてさえいれば、すなわち、図６から分かるように右手の丸で囲まれた領域によってマークされたように５０ｍより大きく離れてさえいれば、−３０ｄＢｍは、フェムトセル伝送にとって常に十分である。また１０ｄＢより大きなＦＵＥ伝送電力では最小ＳＩＲは決して達成されないことも注目され得る。例えば、もしＭＢＳから４０ｍにあるＭＵＥが０ｄＢｍで送信すれば、近隣のＦＵＥはそのＦＢＳにおいて良好なＳＩＲを達成するために−１０ｄＢｍより大きな電力を必要とする（図６参照）。しかしながら、これは、この場合においてＭＢＳにおけるＳＩＲが低いため、実現可能ではない。
【００６０】
幾つかの実施形態は、セル間干渉調整（ＩＣＩＣ＝Ｉｎｔｅｒ−Ｃｅｌｌ  Ｉｎｔｅｒｆｅｒｅｎｃｅ  Ｃｏｏｒｄｉｎａｔｉｏｎ）のために使用される既存のＬＴＥシグナリングの手順を利用して、ＦＵＥおよびＭＵＥのリソース使用を調整することができる。幾つかの実施形態は、既存のＩＣＩＣシグナリングから利益を取得し、それによって既存の規格への影響を小さい状態で維持する干渉調整方式を開発することができる。
【００６１】
幾つかの実施形態は、例えばＬＴＥの既存のアップリンクＩＣＩＣメッセージを使用できる。これらのメッセージの１つは、送信しているＭＢＳすなわちｅ−ＮｏｄｅＢから見られるように、リソースブロックごとに干渉感度が高くなったことを示すアップリンク高干渉表示（ＨＩＩ＝Ｈｉｇｈ  Ｉｎｔｅｒｆｅｒｅｎｃｅ  Ｉｎｄｉｃａｔｉｏｎ）メッセージである。リソースブロックがこの関連におけるあらゆる種類の無線リソースを備え得ることは注目されるべきである。上記の説明によれば、リソースブロックは、リソースプールから予め決められた任意の無線リソースに対応し得る。ＬＴＥにおいて、ＨＩＩ内で受信された目標セルＩＤ（ＩＤ＝ｉｄｅｎｔｉｆｉｃａｔｉｏｎ）は、対応するＨＩＩが意味されるセルを示す。言い換えれば、目標とされた基地局は、このようなメッセージ内で識別され得る。ＨＩＩの値は、更新を伝達する新しいメッセージがＬＴＥ規格で受信されるまで有効である。
【００６２】
もう１つのアップリンクＩＣＩＣメッセージは、例えばある幾つかのリソースブロック上で送信しているＭＢＳによって経験される干渉レベルを示すアップリンク干渉過負荷表示（uplink interference overload indication）である。この値もまた、更新を伝達する新しいメッセージが受信されるまで有効である。
【００６３】
現在のところ、規格において、ＨＩＩメッセージは、特定の近隣のＭＢＳにだけ送られることが可能であり、それによって、フェムトセルの干渉を調整するためのより高い可能性を提供し得る。干渉過負荷表示は、ブロードキャスト・メッセージである。ＨＩＩの原理は、図８に示されている。図８は、４つのＭＢＳ８０１、８０２、８０３および８０４を示している。更に、図８は、ＭＢＳ８０１に接続されたＭＵＥ８１１と、ＭＢＳ８０２に接続されたＭＵＥ８１２と、ＭＢＳ８０３に接続された２つのＭＵＥ８１３および８１４とを示している。２つのＭＵＥがＭＢＳ８０３に接続されているので、干渉の調整はアップリンクにおいて実行され得る。すなわち、ＭＢＳ８０３は、ＨＩＩを近隣のＭＢＳ８０２および８０４に送り得る。これによって、近隣のＭＢＳ８０２および８０４は、これらそれぞれのアップリンクにおいてＨＩＩに示された無線リソースを再使用することを回避することができる。
【００６４】
ＬＴＥ  ＩＣＩＣシグナリングに関する更なる詳細事項は、例えば３ＧＰＰ  ＴＳ３６．４２０、「Ｘ２  ｇｅｎｅｒａｌ  ａｓｐｅｃｔｓ  ａｎｄ  ｐｒｉｎｃｉｐｌｅｓ（Ｘ２一般的態様および原理）」２００７年１２月、および３ＧＰＰ  ＴＳ３６．４２３「Ｘ２  ａｐｐｌｉｃａｔｉｏｎ  ｐｒｏｔｏｃｏｌ（Ｘ２アプリケーションプロトコル）（Ｘ”ＡＰ）」２００８年６月に見出され得る。
【００６５】
現在のところ、ＬＴＥにおいて、サービス中のＭＢＳ（serving MBS）は、近隣のＭＢＳとだけアップリンクＩＣＩＣメッセージを交換できる。例えば、ＨＩＩに関してセルエッジＭＵＥは、ＨＩＩが適切なＭＢＳに送られるように検出されることが必要とされる。ＨＩＩシグナリングは、各ＦＢＳのためにＨＩＩメッセージをカスタマイズすることによって拡張され得る。例えば、ＭＵＥは、自分がフェムトセルにごく接近しているかどうかを確定または決定をし得る。これは、例えば、ＭＵＥがセルエッジ領域内にあるかどうかを確定するために行われたのと同じやり方でＭＵＥによってＲＳＲＰ（ＲＳＲＰ＝Ｒｅｆｅｒｅｎｃｅ  Ｓｉｇｎａｌ  Ｒｅｃｅｉｖｅｄ  Ｐｏｗｅｒ）を測定することによって行われ得る。言い換えれば、ＭＢＳとマクロセルとによって確立された移動体通信システムは、ある一定の受信電力で測定されたある一定の基準信号を報告するようにＭＵＥを構成することができる。それによって、移動体通信システムは、ＦＢＳに近づきつつある、すなわちＦＢＳカバレッジエリアに接近するＭＵＥを認識している。言い換えれば、基地局トランシーバ１００は、例えば測定報告の観点から移動体通信システムにおいて移動端末から無線インタフェースを介して情報を受信するように適応した通信ユニット１２０を備え得る。このような報告は、基準信号が測定されたＦＢＳの識別ならびに測定された信号の強度に関する表示を含み得る。
【００６６】
ＦＢＳ  ＩＤであり得る識別に関して対応する情報は、サービス中のＭＢＳにおいて注目され得る。更に、ＭＵＥは、ＦＢＳに接続しようと試み得る。例えば、家庭で頻繁に使用されるという理由で、クローズドアクセス・フェムトセルの場合に発生するように、もし近隣のＭＵＥがこれに近接するフェムトセルに接続することを許されなければ、一実施形態ではサービス中のＭＢＳにおいて、新しい情報に基づいて、またこのような情報が存在する場合にこのＦＢＳに関する有効な既存のＨＩＩ情報に基づいて、対応するＦＢＳのために新しいＨＩＩメッセージが準備され得る。言い換えれば、ＭＢＳは、ＭＵＥから報告を収集でき、それと共にＦＢＳとの接続がＭＵＥによって確立され得なかったことをＭＢＳに知らせるもう１つの報告によってＦＢＳを検出し、上記のＦＢＳを識別することができる。それからＭＢＳは、ＦＢＳが使用すると考えられる無線リソースの第２の部分１４２についてＦＢＳに知らせるメッセージをＦＢＳのために作成し得る。受信されたＨＩＩメッセージまたは他の任意のメッセージに基づいて、ＦＢＳは、どのリソースをそれのＦＵＥにスケジュールすべきかを決定することができる。幾つかの実施形態では、もし可能であれば、ＦＢＳは、自分に近接したＭＵＥに割り当てられたリソースを割り当てることを回避する。
【００６７】
幾つかの実施形態では、ＬＴＥに関して指定されたＨＩＩメッセージが使用され得る。このＨＩＩメッセージは、目標セルＩＤと、物理リソースブロックがある一定の無線リソースに対応するＰＲＢ（ＰＲＢ＝Ｐｈｙｓｉｃａｌ  Ｒｅｓｏｕｒｃｅ  Ｂｌｏｃｋ（物理リソースブロック））をビットマップ内の各位置が表すビット列とを備える。各ＰＲＢに関するビット列内には、値「１」が高い干渉感度を示し、値「０」が低い干渉感度を示す２進値が存在するが、幾つかの実施形態においては、これは逆も同様に実現され得る。
【００６８】
更に、ＨＩＩメッセージは、特定のＦＢＳのために意図されているので、これらのメッセージは、バックホールまたはバックボーンネットワークを介して放送することなく対応するＦＢＳに直接向けられることが可能であり、これによってシグナリングの負担を妥当なレベルに維持し得る。言い換えれば、例えば基地局トランシーバ２００に対応するＦＢＳは、それ自身の識別情報であり得るネットワークノードの識別に関する情報に対応するそれ自身のセルＩＤを受信し得る。ＰＲＢのビットマップに基づいて、無線リソースの利用が決定されることが可能であり、それによって、基地局トランシーバ２００は、それ自身のリソースを、すなわちリソースの部分を調整できる。
【００６９】
基地局トランシーバ１００は、無線インタフェース１１０のカバレッジエリア１１２によって取り囲まれたカバレッジエリアを有する第３の基地局の識別に関するもう１つの情報とアクセス可能性に関するもう１つの情報とを受信する通信ユニット１２０を備え得る。コントローラ１３０は、無線リソースの第１の部分１４１と第２の部分１４２とを制御し、かつ無線リソースのプール１４０と識別に関する他の情報とアクセス可能性に関する他の情報とに基づいて無線リソースの第３の部分を決定するように構成され得る。言い換えれば、基地局トランシーバ１００は、そのカバレッジエリア内の多数のＦＢＳによって使用される無線リソースを調整するように構成可能である。
【００７０】
図９は、サーブ中ＭＢＳ９１０がＨＩＩメッセージを介してアップリンクのためのリソース利用を調整するシナリオを示している。図９は、３つのＭＢＳ９１０、９２０および９３０を示している。更に、図９は、３つのＦＢＳ９４０、９５０および９６０を示している。図９において矢印９７０、９８０、９８５および９９０は、アップリンク干渉を調整するためにサービス中のＭＢＳ９１０によって送出されたＨＩＩメッセージを示している。これらのメッセージは、専用になっているので、フェムトセル９４０、９５０および９６０のため、ならびに近隣のＭＢＳ９２０および９３０のためには、異なるリソースが利用され得る。
【００７１】
幾つかの実施形態では、ＨＩＩは、サービス中のＭＢＳの近隣にあるＭＢＳのために使用され得る。また、サービス中のＭＢＳ内に位置するフェムトセルのためにもＨＩＩを使用し得る。通信ユニット１２０は、例えば多数のＵＥのＲＳＲＰに関する多数の測定報告を利用することができ、それによって、そのカバレッジエリア内の多数のフェムトセルを調整することができる。ダウンリンクリソースを調整するためにも同様の機構が使用され得る、すなわち、基地局トランシーバ１００は、情報を移動端末に送信するために第１の部分１４１を利用できる。
【００７２】
他の実施形態では、基地局トランシーバ２００すなわちＦＢＳは、ＭＵＥと同じやり方で構成され得るＦＵＥの既存のＲＳＲＰ測定値を利用できる。幾つかの実施形態では、ＲＳＲＰ測定値または報告は、上記のＦＵＥがセルエッジ領域に在るかどうかを決定するために使用され得る。言い換えれば、コントローラ２３０は、基地局トランシーバ２００と他の基地局トランシーバ１００との間の無線距離または空間的な距離についての尺度を決定するように構成可能であり、また、コントローラ２３０は、この無線距離または空間的な距離に基づいて部分２４２を制御するように構成され得る。既に上記に述べられたように、無線距離は、ＦＢＳとＭＵＥとの間の空間的な距離または何らかの減衰に起因するものであり、逆も同様であり得る。それによって、ＦＢＳまたは基地局トランシーバ２００は、自分がＭＢＳの近くに、あるいは幾分離れて位置しているかどうかを決定できる。基地局トランシーバ２００は、例えば減衰、無線距離または空間的な距離がそれに基づいて決定され得る基準信号に関して、他の基地局トランシーバ１００からの信号を受信するための手段を動作させることができる。この受信するための手段は、無線インタフェースに対応し得る。
【００７３】
コントローラ２３０は、自分が近距離範囲または遠距離範囲に位置するかどうかを無線距離または空間的な距離に基づいて決定するように構成され、また基地局トランシーバ２００が遠距離範囲と決定したときに、アップリンクおよびダウンリンクの一方あるいは両方において他の基地局トランシーバ１００によって利用される無線リソースが回避されるように無線リソースの部分２４２を制御するように構成可能である。言い換えれば、もし基地局トランシーバ２００が、自分がＭＢＳから遠く離れていると決定すれば、このトランシーバは、ＭＢＳのアップリンクに対して重要でないアップリンクリソースを使用し得る。遠距離範囲における減衰は、ＭＢＳとＭＵＥとの間で大きいので、ＦＢＳは、ＭＢＳとこのようなＭＵＥとの間で使用されたリソースを再使用することを回避しようとする。
【００７４】
言い換えれば、フェムトセルは、ＲＳＲＰ測定値に基づいて自分がセルエッジ領域にいるか、セル内部領域にいるかどうかを決定することができる。
【００７５】
幾つかの実施形態では、ＦＢＳすなわち基地局トランシーバ２００は、極めて稀にしか移動しないことが、したがってマクロセル内の位置を確定するためのＲＳＲＰ測定値は極めて稀に、例えば電源投入時だけ、または極めて粗い時間間隔で利用され得る。
【００７６】
一実施形態では、基地局トランシーバ２００またはＦＢＳがＨＩＩを受信すると、これは、近隣のＭＢＳと同様に反応し得る。一般に、ＦＢＳは、例えばＨＩＩによって示された周波数範囲内でそれのＦＵＥをスケジュールすることを回避しようとする。すなわち、ＦＢＳは、この高感度周波数範囲内でフェムトセル・マクロセル間アップリンク干渉を最小にしようとする。この実施形態では、ＭＵＥと同じセル領域、例えばセルエッジ領域またはセル内部領域にあるＦＵＥが、同じリソースを使用することは防止され、またこの考えによって、同じリソースを共有するＦＵＥとＭＵＥは、本来的に、空間的に、あるいは無線距離または減衰の観点から分離されている。幾つかの実施形態では、フェムトセルと近隣のマクロセルとの間の干渉を防止するために、セルエッジ領域におけるフェムトセルもまた、対応するセルエッジ領域に属すると想定するサービス中のマクロセルに向けられたＨＩＩを受信できる。言い換えれば、基地局トランシーバ２００は、近隣のＭＢＳに向けられたＨＩＩメッセージをオーバヒアリングするあるいは傍受するように構成され得る。これは、バックボーンネットワークにおいて例えばＴＣＰ／ＩＰデータパケットといったデータパケットを例えばオーバヒアリングする、傍受する、あるいはスニフィング（sniffing）することによって実行され得る。
【００７７】
セル内部ＦＢＳ、すなわち自分がＭＢＳの近くにいると検出した基地局トランシーバに関して、ＨＩＩメッセージは、近隣のＭＢＳのために意図されたＨＩＩメッセージの如何なるものにも高干渉ブロックとマークされないリソースブロックを決定するように構成され得る。すなわち、基地局トランシーバ２００は、基地局トランシーバ２００が近距離範囲を決定したときに、アップリンクおよびダウンリンクの一方あるいは両方において基地局トランシーバ１００によって利用された無線リソースが再使用されるように無線リソースの部分２４２を制御するコントローラ２３０を備え得る。近距離範囲における減衰は、ＭＢＳとＭＵＥとの間でかなり低いので、幾つかの実施形態では、ＦＢＳは、ＭＢＳとこのようなＭＵＥとの間で使用されたリソースを、これらのリソースが遠距離範囲で使用されたリソースほど重要でないという理由で、再使用し得る。しかしながら、既に述べられたように、ＦＢＳはなお、アップリンクまたはダウンリンクのいずれかにおいて近隣のＭＵＥのリソースを再使用しないようにする。
【００７８】
これは、実際に近隣のＭＢＳに向けられたメッセージをオーバヒアリングすることによって行われ得る。このような実施形態では、コントローラ２３０は、識別に関する情報が例えば近隣のＭＢＳといった第２の基地局トランシーバ１００とは異なる基地局に関連付けられていて、更にこの情報の発信源が他の基地局トランシーバ１００であるという表示を備える場合に、無線リソース利用にしたがって無線リソースを使用する他の基地局トランシーバ１００と無線リソースの部分２４２を利用する基地局トランシーバ２００との間の相互干渉を軽減するように、部分２４２を制御する。
【００７９】
幾つかの実施形態では、サービス中（）のセルの内部ＭＵＥのために使用されたリソースは、セル内部ＦＢＳのためのＨＩＩリソースブロックとマークされ得る。図１０は、このような実施形態を示している。図１０は、４つのＭＢＳ１０１０、１０１１、１０１２および１０１３を示し、それらのうちの基地局トランシーバ１０１０は、サービス中の基地局と考えられるものとする。サービス中の基地局トランシーバ１０１０の周りには、例えば、１０２１および１０２２といったセル内部ＦＢＳを有するセル内部領域１０２０が存在する。更に、サービス中のセル１０１０は、例えば、セルエッジＦＢＳ１０３４またはセルエッジＭＵＥ１０３５を有する３つのセルエッジ領域１０３１、１０３２および１０３３を有する。図１０は、一実施形態において１つのマクロセルがどのように１つの内部セル部と複数のセルエッジ部とに細分され得るかを示している。一般に、１つのマクロセルを、１つのＭＢＳの周りに放射状に位置し得る多数のセル領域に細分できる。
【００８０】
図１１は、ＨＩＩメッセージがセルエッジ部におけるＦＢＳによって利用されるリソースを調整するためにどのように使用され得るかを示している。図１１は、ＨＩＩメッセージを近隣のＭＢＳ１０１１に伝達するサービス中の基地局トランシーバ１０１０を示している。セルエッジ領域１０３１内には、多数のＦＢＳ１０５１、１０５２、１０５３および１０５４が存在する。近隣のＭＢＳ１０１１のために専用のＨＩＩメッセージを示す矢印１０６０は、ＦＢＳが上記メッセージをオーバヒアリングし得ることを示している。前述のように、他の実施形態において、ＨＩＩメッセージは、専用および個別の一方あるいは両方のやり方で与えられ得る。
【００８１】
例えば、ＨＩＩメッセージは、サービス中のＭＢＳ１０１０から、近隣のＭＢＳ１０１１とセルエッジ領域１０３１内のＦＢＳ１０５１、１０５２、１０５３および１０５４に送られる。逆も同様であって、近隣のＭＢＳ１０１１から送られる同じＨＩＩメッセージは、サービス中のＭＢＳ１０１０とＭＢＳ１０１１のセルエッジ領域内のＦＢＳに送られ得る。ＭＢＳ１０１１のセルエッジ領域内のＦＢＳは、受信されたＨＩＩに基づいてリソースをそれらのＦＵＥに割り当てる方法を決定することができる。
【００８２】
フェムトセルとの干渉調整のために、ＨＩＩと共にアップリンク干渉過負荷表示シグナリング信号伝達（uplink interference overload indication signalling）が利用され得る。このメッセージはまた、ＬＴＥ仕様の一部でもあり、またすべてのフェムトセルに送られ得る。大きく干渉されたＭＵＥのリソースブロックを使用するフェムトセルは、これらのリソースブロックの使用を停止して、他のリソースブロックを選択し得る。代替として、フェムトセルは、これらのリソースブロックに対してフェムトセルの伝送電力を削減し得る。
【００８３】
幾つかの実施形態では、セル内部領域もまた、セル中心と、このセル中心とセルエッジとの間のセル領域とに分割され得る。一般に、１つのマクロセルは、例えばＲＳＲＰ測定によって決定され得る多数の異なる領域に細分され得る。セル中心領域は、例えばＦＵＥが地理的に位置するＭＢＳからの強い信号を検出するＦＵＥのＲＳＲＰ測定によって認められ得る。他の実施形態では、より目標とされるリソース割当、すなわち図１０および１１に示されたように分割されたセル領域を有するようなリソース割当も、主として多数の異なるセル領域を使用して実行され得る。
【００８４】
図１２は、ＦＢＳにおけるＳＩＲ対ＦＵＥからＭＵＥへの相対的伝送電力についての実施形態のシミュレーション結果である。図１２は、図６と同様のグラフを示している。図１２では、幾つかの実施形態において平均ＳＩＲの改善が示されている。幾つかの実施形態は、同じ周波数あるいは無線リソースを使用するマクロおよびフェムトエンティティの空間的な分離を強制することができ、それによって、所定のＦＵＥからＭＵＥへの相対的伝送電力に関する平均ＳＩＲを大幅に改善することができる。図１２は、従来の方法に関する、すなわち図１２の矢印１２０１によって示されたリソース調整が実行されない場合のＦＢＳにおける平均ＳＩＲを示している。更に図１２は、矢印１２０２によって、調整は実行されないが最も重要なフェムトセルはスイッチオフされているときの従来の方法に関するＦＢＳにおける平均ＳＩＲを示している。最後に、矢印１２０３は、フェムトおよびマクロリソース間の調整が上記の実施形態にしたがって実行された場合のＦＢＳにおける平均ＳＩＲを示している。これらのＳＩＲ改善は、かなりのものである。
【００８５】
上記の実施形態は、主としてアップリンク伝送を考慮に入れて、またそれと共にアップリンク干渉調整を考慮に入れて考えられている。幾つかの実施形態は、ダウンリンク干渉調整も実行し得る。幾つかの実施形態は、アップリンク伝送に関して同様の論理の道筋にそって行われ得る。ダウンリンク伝送でも、ＦＢＳは、特定のＦＢＳから遠く離れたＭＵＥのために意図されたＭＢＳのリソースを再使用することが有益である。例えば、ＬＴＥ内の既存のダウリンクＩＣＩＣメッセージは、各ＰＲＢに関して伝送電力がある閾値より上にあるかないかどうかを示す。この情報は、フェムトセル・マクロセル間ダウンリンク干渉調整のためには十分でない可能性がある。
【００８６】
幾つかの実施形態は、フェムトセルとマクロセルとの間のダウンリンク干渉調整のために新しいメッセージを導入することができる。現在のところ、ＬＴＥでは、サービス中のＭＢＳは、ダウンリンクＩＣＩＣメッセージを近隣のＭＢＳとだけ交換する。ＭＵＥは、これらがフェムトセルにごく近接している場合に、それに応じて接続確立または所属することができる。これは、例えば、ＭＵＥがセルエッジ領域に在る場合に接続確立するために行われたのと同じやり方で、ＭＵＥによるＲＳＲＰの測定を行うことによって実行され得る。これに対応して、ＦＢＳ識別情報がＭＢＳによって注目され得る。更に、クローズドアクセス・フェムトセルの場合に起こるように、もし近隣のＭＢがそれの近隣のフェムトセルに接続することが許されなければ、サービス中のＭＢＳにおいて対応するＦＢＳのために新しいメッセージが準備され得る。この新しいメッセージは、新しい情報に基づいて、および／または、このような情報が存在すればこのＦＢＳに関する既存の情報に基づいて作成され得る。
【００８７】
受信されたメッセージに基づいて、基地局トランシーバ２００すなわちＦＢＳは、ＦＵＥのためにそれのダウンリンク伝送に関してどのリソースをスケジュールすべきかを決定することができる。もし可能であれば、このＦＢＳは、対応するＭＢＳが伝送のために割り当てたリソースをこのＦＢＳの近傍のＭＵＥに割り当てることを回避することができる。
【００８８】
ダウンリンクメッセージは、目標セルＩＤと、位置がＰＲＢを表す文字列とを含み、例えば、この文字列は、「１」という値が高干渉感度を示し、例えば「０」という値が低干渉感度を示し、逆もそれぞれ同様であることを示す。
【００８９】
幾つかの実施形態においては、フェムトセルが、家庭環境においてＬＴＥおよびＬＴＥ−Ａの一方あるいは両方のカバレッジをより効率的に改善するマクロセルとリソースを共有することができるという利点がある。幾つかの実施形態は、フェムトセル配置における干渉調整を可能にし、また効率的な干渉軽減法を可能にする。フェムトセルとマクロセルとの間の干渉を調整するために、既存のＬＴＥ／ＬＴＥ−Ａセル間干渉調整法およびシグナリングを再使用することができる。それによって、これらが既存のＬＴＥ規格に対して最小限の影響しか与えないという利点がある。本発明の実施形態では、相互干渉と全体的伝送電力とを引き下げることによりシステム容量を大幅に改善することができる。
【００９０】
本発明の方法のある一定の実施要件に応じて、本発明の方法は、ハードウエアまたはソフトウエアによって実現され得る。この実現は、ディジタル記憶媒体を使用して、特に本発明の方法が実行されるようなプログラム可能なコンピュータシステムと協同動作する電子的に読取り可能な制御信号を記憶したディスク、ＤＶＤまたはＣＤを使用して実行され得る。したがって、本発明は、コンピュータプログラム製品がコンピュータ上で動作するときに本発明の方法を実行するために動作するプログラムコードであって機械可読キャリア（保持体）に記憶されたプログラムコードを有するコンピュータプログラム製品である。したがって、本発明の方法は、コンピュータプログラムがコンピュータ上で動作するときに本発明の方法の少なくとも１つを実行するためのプログラムコードを有するコンピュータプログラムである。
【図１ａ】
2010124462.tif 000003
【図１ｂ】
2010124462.tif 000004
【図１ｃ】
2010124462.tif 000005
【図２】
2010124462.tif 000006
【図３】
2010124462.tif 000007
【図４】
2010124462.tif 000008
【図５】
2010124462.tif 000009
【図６】
2010124462.tif 000010
【図７】
2010124462.tif 000011
【図８】
2010124462.tif 000012
【図９】
2010124462.tif 000013
【図１０】
2010124462.tif 000014
【図１１】
2010124462.tif 000015
【図１２】
2010124462.tif 000016
【外国語明細書】
2010124462.tif 000017
2010124462.tif 000018
2010124462.tif 000019
2010124462.tif 000020
2010124462.tif 000021
2010124462.tif 000022
2010124462.tif 000023
2010124462.tif 000024
2010124462.tif 000025
2010124462.tif 000026
2010124462.tif 000027
2010124462.tif 000028
2010124462.tif 000029
2010124462.tif 000030
2010124462.tif 000031
2010124462.tif 000032
2010124462.tif 000033
2010124462.tif 000034
2010124462.tif 000035
2010124462.tif 000036
2010124462.tif 000037
2010124462.tif 000038
2010124462.tif 000039
2010124462.tif 000040
2010124462.tif 000041
2010124462.tif 000042
2010124462.tif 000043
2010124462.tif 000044
2010124462.tif 000045
2010124462.tif 000046
2010124462.tif 000047
2010124462.tif 000048
2010124462.tif 000049
2010124462.tif 000050
2010124462.tif 000051
2010124462.tif 000052
2010124462.tif 000053
2010124462.tif 000054
2010124462.tif 000055
2010124462.tif 000056
2010124462.tif 000057
2010124462.tif 000058
2010124462.tif 000059
2010124462.tif 000060
2010124462.tif 000061
2010124462.tif 000062
2010124462.tif 000063
2010124462.tif 000064
2010124462.tif 000065
2010124462.tif 000066
2010124462.tif 000067
2010124462.tif 000068
2010124462.tif 000069
2010124462.tif 000070